(57)【要約】【課題】接続時の位置合わせが容易で操作力が小さい端子接続構造、表示システム、表示媒体および書込装置を提供する。【解決手段】この表示システム１は、表示媒体２にスライドファスナー５Ａ，５Ｂによってコネクタ４Ａ，４Ｂを装着できる構成を有し、コネクタ４Ａ，４Ｂに設けた一端の務歯５０Ａ，５０Ｂを表示媒体２に設けた止め具５２に差し込み、スライダ５１を移動させることにより、表示媒体２側の務歯５０Ａ，５０Ｂとコネクタ４Ａ，４Ｂ側の務歯５０Ａ，５０Ｂとが順次係合し、務歯５０Ａ，５０Ｂに形成した端子同士が電気的に接続され、書込装置本体７からケーブル６Ａ，６Ｂおよびスライドファスナー５Ａ，５Ｂを介して表示媒体２に画像を書き込むことができる。【選択図】図１
2007115640.tif 000002
【特許請求の範囲】
【請求項１】
第１の部材に設けた複数の第１の端子と、
第２の部材に設けた複数の第２の端子とを有し、
複数の前記第１および第２の端子は、係合操作により順次係合して互いに電気的に接続されることを特徴とする端子接続構造。
【請求項２】
前記複数の第１の端子は、前記第１の部材に列状に設けた複数の第１の務歯に形成され、
前記複数の第２の端子は、前記第２の部材に列状に設けた複数の第２の務歯に形成され、スライダを移動させることにより、前記複数の第１および第２の務歯が順次係合して前記複数の第１および第２の端子が互いに電気的に接続されることを特徴とする請求項１に記載の端子接続構造。
【請求項３】
前記第１および第２の端子は、前記務歯の両方の歯面に絶縁部材を介して形成されたことを特徴とする請求項２に記載の端子接続構造。
【請求項４】
前記第１および第２の端子は、前記務歯の一方の歯面に形成されたことを特徴とする請求項２に記載の端子接続構造。
【請求項５】
前記複数の第１の端子は、前記第１の部材に線状に設けた凹部あるいは凸部に形成され、
前記複数の第２の端子は、前記第２の部材に線状に設けた前記凸部あるいは前記凹部に形成され、押圧操作により前記凹部および前記凸部の各部が順次係合して前記複数の第１および第２の端子が互いに電気的に接続されることを特徴とする請求項１に記載の端子接続構造。
【請求項６】
前記複数の第１および第２の端子は、前記凹部あるいは前記凸部の長手方向に沿って絶縁体と交互に形成されたことを特徴とする請求項５に記載の端子接続構造。
【請求項７】
前記凹部あるいは前記凸部の前記第１および第２の端子は、加圧されることにより金属線が所定の方向に露出する異方性導電ゴムを用いたことを特徴とする請求項５に記載の端子接続構造。
【請求項８】
前記第１および第２の部材は、互いに位置決めする位置決め部を備えたことを特徴とする請求項５に記載の端子接続構造。
【請求項９】
前記複数の第１の端子は、前記第１の部材に形成された複数の第１の導電路に接続され、
前記複数の第２の端子は、前記第２の部材に形成された複数の第２の導電路に接続され、
１つの前記第１の端子に対して１つの前記第１の導電路が接続され、１つの前記第２の端子に対して１つの前記第２の導電路が接続されたことを特徴とする請求項１に記載の端子接続構造。
【請求項１０】
前記複数の第１の端子は、前記第１の部材に形成された複数の第１の導電路に接続され、
前記複数の第２の端子は、前記第２の部材に形成された複数の第２の導電路に接続され、
複数の前記第１の端子に対して１つの前記第１の導電路が接続され、複数の前記第２の端子に対して１つの前記第２の導電路が接続されたことを特徴とする請求項１に記載の端子接続構造。
【請求項１１】
画像を表示する表示媒体と、
前記表示媒体に着脱自在のコネクタと、
前記表示媒体に装着された前記コネクタを介して前記表示媒体に書込信号を供給することにより前記表示媒体に画像を書き込む書込装置本体と、
前記表示媒体に設けた複数の第１の端子と前記コネクタに設けた複数の第２の端子とを係合操作により順次接続して前記書込信号の供給経路を形成するファスナーとを備えたことを特徴とする表示システム。
【請求項１２】
前記ファスナーは、前記複数の第１の端子が前記表示媒体に列状に設けた複数の第１の務歯に形成され、前記複数の第２の端子が前記コネクタに列状に設けた複数の第２の務歯に形成され、スライダを移動させることにより、前記複数の第１および第２の務歯が順次係合して前記複数の第１および第２の端子が互いに電気的に接続されることを特徴とする請求項１１に記載の表示システム。
【請求項１３】
前記ファスナーは、前記複数の第１の端子が前記表示媒体に線状に設けた凹部あるいは凸部に形成され、前記複数の第２の端子が前記コネクタに線状に設けた前記凸部あるいは前記凹部に形成され、押圧操作により前記凹部および前記凸部の各部が順次係合して前記複数の第１および第２の端子が互いに電気的に接続されることを特徴とする請求項１１に記載の表示システム。
【請求項１４】
前記表示媒体の前記複数の第１の端子は、画素の列方向に沿う辺近傍に設けられ、行方向の画素に前記書込信号を供給する複数の行端子と、画素の行方向に沿う辺近傍に設けられ、列方向の画素に前記書込信号を供給する複数の列端子とからなり、
前記コネクタは、前記複数の行端子が設けられた前記辺に装着されて前記複数の行端子に接続される複数の前記第２の端子を有する行側コネクタと、前記複数の列端子が設けられた前記辺に装着されて前記複数の列端子に接続される複数の前記第２の端子を有する列側コネクタとを備えたことを特徴とする請求項１１に記載の表示システム。
【請求項１５】
前記表示媒体の前記複数の第１の端子は、所定の辺近傍に設けられ、行方向の画素に前記書込信号を供給する複数の行端子と、前記所定の辺近傍に設けられ、前記列方向の画素に前記書込信号を供給する複数の列端子とからなり、
前記コネクタは、前記所定の辺に装着されて前記複数の行端子および前記複数の列端子に接続される前記複数の第２の端子を有する単一のコネクタであることを特徴とする請求項１１に記載の表示システム。
【請求項１６】
前記表示媒体は、無電源でも前記画像の表示が継続するメモリー性を有することを特徴とする請求項１１に記載の表示システム。
【請求項１７】
前記表示媒体は、可撓性を有することを特徴とする請求項１１に記載の表示システム。
【請求項１８】
前記コネクタは、可撓性を有することを特徴とする請求項１１又は１７に記載の表示システム。
【請求項１９】
前記表示媒体は、前記書込信号として走査信号が供給される複数の走査線と、前記書込信号として画像データに応じた画像信号が供給される複数のデータ線とを備え、
前記書込装置本体は、前記複数の走査線を走査する走査回路と、前記複数のデータ線を駆動する駆動回路とを備えたことを特徴とする請求項１１に記載の表示システム。
【請求項２０】
前記表示媒体は、前記書込信号として走査信号が供給される複数の走査線と、前記書込信号として画像データに応じた画像信号が供給される複数のデータ線とを備え、
前記コネクタは、前記複数の走査線を走査する走査回路と、前記複数のデータ線を駆動する駆動回路とを備えたことを特徴とする請求項１１に記載の表示システム。
【請求項２１】
前記表示媒体は、前記書込信号として走査信号が供給される複数の走査線と、前記書込信号として画像データに応じた画像信号が供給される複数のデータ線と、前記複数の走査線を走査する走査回路と、前記複数のデータ線を駆動する駆動回路とを備えたことを特徴とする請求項１１に記載の表示システム。
【請求項２２】
表示媒体に着脱自在のコネクタを装着し、前記コネクタを介して前記表示媒体に書込信号を供給することにより前記表示媒体に画像を書き込む表示システムにおいて、
前記コネクタに設けた複数の第２の端子に係合操作により順次接続して前記書込信号の供給経路を形成する複数の第１の端子を備えたことを特徴とする表示媒体。
【請求項２３】
前記表示媒体の所定の辺近傍に前記複数の第１の端子を備え、前記表示媒体の前記所定の辺とは異なる辺近傍に複数の第３の端子を備え、
前記複数の第３の端子は、他の表示媒体に設けられた複数の第４の端子に係合操作により順次接続することを特徴とする請求項２２に記載の表示媒体。
【請求項２４】
表示媒体に着脱自在であり、前記表示媒体に設けた複数の第１の端子に係合操作により順次接続する複数の第２の端子を有するコネクタと、
前記表示媒体に装着された前記コネクタを介して前記表示媒体に書込信号を供給することにより前記表示媒体に画像を書き込む書込装置本体とを備えたことを特徴とする書込装置。
【発明の詳細な説明】
【技術分野】
【０００１】
本発明は、一方の端子列と他方の端子列とを接続する端子接続構造、並びにその端子接続構造を用いた表示システム、表示媒体および書込装置に関する。
【背景技術】
【０００２】
従来の表示システムとして、例えば、カードエッジ方式により表示媒体と書込装置を着脱自在に構成したものが知られている（例えば、特許文献１参照）。
【０００３】
この表示システムは、薄型矩形状の液晶パネルに列電極を駆動する駆動回路、および行電極を走査する走査回路を搭載した表示媒体と、表示媒体に着脱自在に装着されるＬ字状の書込装置とを備える。この構成によれば、表示媒体に駆動回路および走査回路を搭載することにより、表示媒体と書込装置との間の接続用電極数を少なくすることができる。
【０００４】
また、従来の他の表示システムとして、例えば、ピングリッドアレイ方式により表示媒体と書込装置を着脱自在に構成したものが知られている（例えば、特許文献２参照）。
【０００５】
この表示システムは、表示媒体の画像表示面と反対側の面に複数の開口部を形成し、それらの開口部の底面に電極端子を配置し、書込装置の表示媒体接続面に先端が開口部の直径よりも少しだけ大きくした突起状の複数の電極端子を設け、表示媒体と書込装置の位置決めを行った後、書込装置の突起状の電極端子を表示媒体の開口部に嵌入して電極端子同士を接続するものである。この構成によれば、表示媒体と同程度の大きさで表示システムを構成することができ、カードエッジ方式と比べて両電極端子の耐摩耗性をそれほど考慮しなくてよいという利点がある。
【特許文献１】特開平２−２５４４２０号公報（第３頁左上欄第１８行〜左下欄第１６行、第４頁左下欄第１９行〜右下欄第６行、第１図、第７図）
【特許文献２】特開２０００−７５８０５公報（段落［００４１］、図１３）
【発明の開示】
【発明が解決しようとする課題】
【０００６】
しかし、従来の表示システムは、複数の電極端子同士を一度に接続するため、端子数が多くなると位置決めも難しくなり、また接続に要する力（操作力）が大きくなり、頻繁に着脱を行う用途には適していない。今後、高精細な画像を表示するためにますます端子数が多くなる傾向にあり、上記問題は重要である。
【０００７】
従って、本発明の目的は、接続時の位置合わせが容易で操作力が小さい端子接続構造、表示システム、表示媒体および書込装置を提供することにある。
【課題を解決するための手段】
【０００８】
本発明の第１の態様は、上記目的を達成するため、第１の部材に設けた複数の第１の端子と、第２の部材に設けた複数の第２の端子とを有し、複数の前記第１および第２の端子は、係合操作により順次係合して互いに電気的に接続されることを特徴とする端子接続構造を提供する。
【０００９】
上記第１の態様の端子接続構造によれば、複数の第１および第２の端子を順次係合しているので、小さな操作力で第１および第２の部材を接続することができる。第１および第２の部材は、両方がコネクタでも電気・電子機器でもよく、一方がコネクタで他方が電気・電子機器でもよい。
【００１０】
上記第１および第２の端子は、導電性を有する材料、例えば、金属、導電性ゴム、導電性プラスチック等を用いることができ、ゴム、プラスチック等の非金属や金属の表面に導電性の高い金メッキ等の金属膜を被着したものを用いてもよい。
【００１１】
前記複数の第１の端子は、前記第１の部材に列状に設けた複数の第１の務歯に形成され、前記複数の第２の端子は、前記第２の部材に列状に設けた複数の第２の務歯に形成され、スライダを移動させることにより、前記複数の第１および第２の務歯が順次係合して前記複数の第１および第２の端子が互いに電気的に接続される構成、すなわちスライドファスナーのような構成とすることができる。スライダの移動に伴って務歯が順次係合するので、小さな操作力で第１および第２の端子を接続することができる。また、列の一端に位置する第１および第２の務歯を位置決めすれば、他の第１および第２の務歯は順次係合するので、位置合わせが容易となる。
【００１２】
前記第１および第２の端子は、前記務歯の両方の歯面に絶縁部材を介して形成してもよく、前記務歯の一方の歯面に形成してもよい。隣接する第１の端子間および第２の端子間の絶縁状態を保つことができる。
【００１３】
前記複数の第１の端子は、前記第１の部材に線状に設けた凹部あるいは凸部に形成され、前記複数の第２の端子は、前記第２の部材に線状に設けた前記凸部あるいは前記凹部に形成され、押圧操作により前記凹部および前記凸部の各部が順次係合して前記複数の第１および第２の端子が互いに電気的に接続される構成、すなわち線状ファスナー（ジップロック）のような構成とすることができる。凸部あるいは凹部を押圧することにより凹部と凸部が順次係合するので、小さな操作力で第１および第２の端子を接続することができる。また、線状の凹部あるいは凸部の一端を位置決めすれば、凹部および凸部の他の部分は順次係合するので、位置合わせが容易となる。
【００１４】
前記複数の第１および第２の端子は、前記凹部あるいは前記凸部の長手方向に沿って絶縁体と交互に形成された構成とすることができる。隣接する第１の端子間および第２の端子間の絶縁状態を保つことができる。
【００１５】
前記凹部あるいは前記凸部の前記第１および第２の端子は、加圧されることにより金属線が所定の方向に露出する異方性導電ゴムを用いた構成とすることができる。金属線の露出により端子間の確実な接触を確保することができる。
【００１６】
前記第１および第２の部材は、互いに位置決めする位置決め部を備えた構成とすることができる。位置決め部により接続時の位置合わせが容易となる。位置決め部は、例えば、凹部と凸部の組合せや、フックとループの組合せ等を用いることができる。
【００１７】
前記複数の第１の端子は、前記第１の部材に形成された複数の第１の導電路に接続され、前記複数の第２の端子は、前記第２の部材に形成された複数の第２の導電路に接続され、１つの前記第１の端子に対して１つの前記第１の導電路が接続され、１つの前記第２の端子に対して１つの前記第２の導電路が接続された構成とすることができる。この構成によれば、導電路の密度を高めることが可能となる。
【００１８】
前記複数の第１の端子は、前記第１の部材に形成された複数の第１の導電路に接続され、前記複数の第２の端子は、前記第２の部材に形成された複数の第２の導電路に接続され、複数の前記第１の端子に対して１つの前記第１の導電路が接続され、複数の前記第２の端子に対して１つの前記第２の導電路が接続された構成とすることができる。この構成によれば、接触が十分でない端子が存在しても他の端子により十分な接触が得られるので、第１および第２の導電路間の接続を確実に行うことができる。
【００１９】
本発明の第２の態様は、上記目的を達成するため、画像を表示する表示媒体と、前記表示媒体に着脱自在のコネクタと、前記表示媒体に装着された前記コネクタを介して前記表示媒体に書込信号を供給することにより前記表示媒体に画像を書き込む書込装置本体と、
前記表示媒体に設けた複数の第１の端子と前記コネクタに設けた複数の第２の端子とを係合操作により順次接続して前記書込信号の供給経路を形成するファスナーとを備えたことを特徴とする表示システムを提供する。
【００２０】
上記第２の態様の表示システムによれば、複数の第１および第２の端子を順次係合しているので、小さな操作力で表示媒体とコネクタを接続することができる。ファスナーにより表示媒体とコネクタとの分離が可能となり、１つの書込装置本体で複数の表示媒体に画像を書き込むことができる。また、コネクタと書込装置本体とを一体化した構成も可能である。
【００２１】
前記ファスナーは、前記複数の第１の端子が前記表示媒体に列状に設けた複数の第１の務歯に形成され、前記複数の第２の端子が前記コネクタに列状に設けた複数の第２の務歯に形成され、スライダを移動させることにより、前記複数の第１および第２の務歯が順次係合して前記複数の第１および第２の端子が互いに電気的に接続される構成、すなわちスライドファスナーのような構成とすることができる。スライダの移動に伴って務歯が順次係合するので、小さな操作力で第１および第２の端子を接続することができる。また、列の一端に位置する第１および第２の務歯を位置決めすれば、他の第１および第２の務歯は順次係合するので、位置合わせが容易となる。
【００２２】
前記ファスナーは、前記複数の第１の端子が前記表示媒体に線状に設けた凹部あるいは凸部に形成され、前記複数の第２の端子が前記コネクタに線状に設けた前記凸部あるいは前記凹部に形成され、押圧操作により前記凹部および前記凸部の各部が順次係合して前記複数の第１および第２の端子が互いに電気的に接続される構成、すなわち線状ファスナー（ジップロック）のような構成とすることができる。凸部あるいは凹部を押圧することにより凹部と凸部が順次係合するので、小さな操作力で第１および第２の端子を接続することができる。また、線状の凹部あるいは凸部の一端を位置決めすれば、凹部および凸部の他の部分は順次係合するので、位置合わせが容易となる。
【００２３】
前記表示媒体の前記複数の第１の端子は、画素の列方向に沿う辺近傍に設けられ、行方向の画素に前記書込信号を供給する複数の行端子と、画素の行方向に沿う辺近傍に設けられ、列方向の画素に前記書込信号を供給する複数の列端子とからなり、前記コネクタは、前記複数の行端子に接続される複数の前記第２の端子を有する行側コネクタと、前記複数の列端子に接続される複数の前記第２の端子を有する列側コネクタとを備えた構成とすることができる。行端子接続用と列電極接続用として別個のコネクタを用いることにより、配線が容易となる。なお、行側コネクタと列側コネクタは、Ｌ字状に一体的に構成されていてもよい。
【００２４】
前記表示媒体の前記複数の第１の端子は、所定の辺近傍に設けられ、行方向の画素に前記書込信号を供給する複数の行端子と、前記複数の行端子が設けられた前記所定の辺と同一の辺近傍に設けられ、前記列方向の画素に前記書込信号を供給する複数の列端子とからなり、前記コネクタは、前記複数の行端子および前記複数の列端子に接続される前記複数の第２の端子を有する単一のコネクタである構成とすることができる。行端子接続用と列電極接続用として単一のコネクタを用いることにより、接続操作が容易となる。
【００２５】
前記表示媒体は、無電源でも前記画像の表示が継続するメモリー性を有する構成とすることができる。表示媒体がメモリー性を有することで紙媒体と同様に取り扱うことができる。メモリー性は、表示継続時間が通常は１時間あるいは１日以上の場合をいうが、１分以内あるいは１時間以内のメモリー性に乏しい場合も含む。
【００２６】
前記表示媒体は、可撓性を有することにより、接続の際に表示媒体が変形し易くなり、接続が容易となる。また、表示媒体が可撓性を有するとともに、コネクタも可撓性を有することにより、接続の際にコネクタも変形して接続が容易となる。
【００２７】
前記表示媒体は、前記書込信号として走査信号が供給される複数の走査線と、前記書込信号として画像データに応じた画像信号が供給される複数のデータ線とを備え、前記書込装置本体は、前記複数の走査線を走査する走査回路と、前記複数のデータ線を駆動する駆動回路とを備えた構成とすることができる。走査回路や駆動回路を書込装置本体に設けることにより、表示媒体およびコネクタの構成を簡素化でき、これらのコスト低減を図ることができる。
【００２８】
前記表示媒体は、前記書込信号として走査信号が供給される複数の走査線と、前記書込信号として画像データに応じた画像信号が供給される複数のデータ線とを備え、前記コネクタは、前記複数の走査線を走査する走査回路と、前記複数のデータ線を駆動する駆動回路とを備えた構成とすることができる。走査回路や駆動回路をコネクタに設けることにより、表示媒体および書込装置本体の構成を簡素化でき、これらのコスト低減を図ることができる。
【００２９】
前記表示媒体は、前記書込信号として走査信号が供給される複数の走査線と、前記書込信号として画像データに応じた画像信号が供給される複数のデータ線と、前記複数の走査線を走査する走査回路と、前記複数のデータ線を駆動する駆動回路とを備えた構成とすることができる。走査回路や駆動回路を表示媒体に設けることにより、端子数を減らすことができ、接続作業が容易となる。
【００３０】
上記表示媒体は、全面電極と複数の画素電極との間に表示層を配置し、互いに直交する複数の走査線と複数のデータ線との各交点にＴＦＴ等の複数のアクティブ素子を接続し、アクティブ・マトリックス駆動により各画素を駆動してもよい。また、上記表示媒体は、互いに直交する複数の走査線としての行電極と複数のデータ線としての列電極との間に表示層を配置し、パッシブ・マトリックス駆動（単純マトリックス駆動）により各画素を駆動してもよい。
【００３１】
本発明の第３の態様は、上記目的を達成するため、表示媒体に着脱自在のコネクタを装着し、前記コネクタを介して前記表示媒体に書込信号を供給することにより前記表示媒体に画像を書き込む表示システムにおいて、前記コネクタに設けた複数の第２の端子に、係合操作により順次接続して前記書込信号の供給経路を形成する複数の第１の端子を備えたことを特徴とする表示媒体を提供する。
【００３２】
上記第３の態様の表示媒体によれば、複数の第１および第２の端子を順次係合しているので、小さな操作力で表示媒体とコネクタを接続することができる。
【００３３】
前記表示媒体の所定の辺近傍に前記複数の第１の端子を備え、前記表示媒体の前記所定の辺とは異なる辺近傍に複数の第３の端子を備え、前記複数の第３の端子は、他の表示媒体に設けられた複数の第４の端子に係合操作により順次接続する構成とすることができる。
複数の表示媒体を接続することにより表示画面を大きくすることができる。
【００３４】
本発明の第４の態様は、上記目的を達成するため、表示媒体に着脱自在であり、前記表示媒体に設けた複数の第１の端子に係合操作により順次接続する複数の第２の端子を有するコネクタと、前記表示媒体に装着された前記コネクタを介して前記表示媒体に書込信号を供給することにより前記表示媒体に画像を書き込む書込装置本体とを備えたことを特徴とする書込装置を提供する。
【００３５】
上記第４の態様の書込装置本体によれば、複数の第１および第２の端子を順次係合しているので、小さな操作力で表示媒体とコネクタを接続することができる。
【発明の効果】
【００３６】
本発明によれば、接続時の位置合わせが容易で操作力が小さい端子接続構造、表示システム、表示媒体および書込装置を提供することができる。
【発明を実施するための最良の形態】
【００３７】
[第１の実施の形態]
図１は、本発明の第１の実施の形態に係る表示システムを示す。この表示システム１は、画像を表示する表示媒体２と、表示媒体２に画像を書き込む書込装置３とを備える。
【００３８】
（書込装置）
書込装置３は、表示媒体２に着脱自在に装着される行側コネクタ４Ａおよび列側コネクタ４Ｂと、表示媒体２とコネクタ４Ａ，４Ｂとを電気的および機械的に接続する端子接続構造としてのスライドファスナー５Ａ，５Ｂと、コネクタ４Ａ，４Ｂにケーブル６Ａ，６Ｂにより接続され、コネクタ４Ａ，４Ｂおよびケーブル６Ａ，６Ｂを介して表示媒体２に画像を書き込む書込装置本体７とを備える。
【００３９】
書込装置本体７は、画像データを記憶する画像記憶部７０と、表示媒体２に電圧を印加する電圧印加部７２と、画像記憶部７０が記憶する画像データに応じた書込信号としての電圧を表示媒体２に印加するように電圧印加部７２を制御する制御部７１とを備える。画像記憶部７０および制御部７１は、例えば、パーソナルコンピュータによって実現することができる。また、画像データを記録媒体から入力してもよく、ＬＡＮ（ローカルエリアネットワーク）、インターネット等のネットワークから入力してもよい。
【００４０】
電圧印加部７２は、表示媒体２を構成する後述する行電極２０１Ａを走査する走査回路と、列電極２０１Ｂを画像データに応じた電圧を印加する駆動回路とを備える。
【００４１】
（表示媒体）
表示媒体２は、表示部２０を有し、その周辺に枠部２１を設けている。表示部２０は、互いに直交する複数の走査線あるいは導電路としての行電極２０１Ａ、および複数のデータ線あるいは導電路としての列電極２０１Ｂを有している。各行電極２０１Ａは、スライドファスナー５Ａによって行側コネクタ４Ａおよびケーブル６Ａを介して書込装置本体７に接続されている。各列電極２０１Ｂは、スライドファスナー５Ｂによって列側コネクタ４Ｂおよびケーブル６Ｂを介して書込装置本体７に接続されている。
【００４２】
また、表示媒体２は、可搬性の点で薄型の矩形状を有するものが好ましいが、矩形状に限定されず、円形、楕円形、三角形、五角形、多角形等の他の形状でもよい。また、コネクタ４Ａ，４Ｂとの接続性および取扱性の点で可撓性を有するものが好ましいが、コネクタ４Ａ，４Ｂが可撓性を有するものなら、剛性を有するものでもよい。
【００４３】
（スライドファスナー）
スライドファスナー５Ａは、表示媒体２およびコネクタ４Ａにそれぞれ列状に設けられた一対の複数の務歯（エレメントともいう。）５０Ａと、表示媒体２側に設けられ、一対の複数の務歯５０Ａを係合操作により順次係合するスライダ５１と、表示媒体２側の基端側の務歯５０Ａに設けられた止め具５２と、表示媒体２およびコネクタ４Ａの先端側の務歯５０Ａにそれぞれ設けられた一対の止め具５３とを備える。
【００４４】
スライドファスナー５Ｂは、スライドファスナー５Ａと同様に、務歯５０Ｂ、スライダ５１および止め具５２，５３を備える。これらのスライドファスナー５Ａ，５Ｂの詳細については図面を参照して後述する。なお、スライダ５１および止め具５２は、コネクタ４Ａ，４Ｂ側に設けられいてもよい。
【００４５】
コネクタ４Ａ，４Ｂは、表示媒体２との接続性および取扱性の点で可撓性を有するものが好ましく、例えば、可撓性を有するプラスチックフィルムを主体に構成されている。なお、コネクタ４Ａ，４Ｂは、接続性の点で表示媒体２が可撓性を有するものなら、剛性を有するものでもよい。
【００４６】
（表示部の層構成）
図２は、表示部２０の断面を示す。表示部２０は、画像を表示する表示層２００と、表示層２００の表示面となる表面に設けられた複数の行電極２０１Ａと、これらの行電極２０１Ａが形成された表面基板２０２Ａと、表示層２００の裏面に行電極２０１Ａに直交するように設けられた複数の列電極２０１Ｂと、これらの列電極２０１Ｂが形成された裏面基板２０２Ｂとを備える。
【００４７】
行電極２０１Ａおよび列電極２０１Ｂは、例えば、ＩＴＯ（インジウム錫酸化物）等の透明な導電材料からなる。表面基板２０２Ａおよび裏面基板２０２Ｂは、例えば、透明のＰＥＴ（ポリエチレンテレフタレート）フィルムからなる。なお、画像の表示面と反対側の列電極２０１Ｂおよび裏面基板２０２Ｂは、不透明の材料から形成してもよい。また、行電極２０１Ａと列電極２０１Ｂとは表裏逆に配置してもよい。さらに、表示媒体２の表面と裏面の両方を画像の表示面としてもよい。
【００４８】
表示層２００は、無電源でも表示を継続するメモリー性を有するものが好ましい。メモリー性を有する表示層２００として、例えば、コレステリック液晶，ゲストホスト型液晶等の液晶や、電気泳動方式、ツイストボール式、トナーディスプレイ等を用いることができる。なお、表示層２００は、メモリー性を有していないか、表示継続時間が１分以下あるいは１時間以下のメモリー性に乏しいものでもよい。メモリー性を有していない表示層２００として、例えば、ネマティック液晶、ＥＬ（エレクトロルミネッセンス）等がある。
【００４９】
（スライドファスナーの詳細）
図３は、スライドファスナー５Ａの要部拡大図であり、（ａ）は接続前、（ｂ）は接続後を示す。スライドファスナー５Ａ，５Ｂは、同一の構造を有するので、スライドファスナー５Ａについて説明する。スライドファスナー５Ａは、務歯５０Ａの両方の歯面に絶縁部材５００を介して端子５０１が形成されている。表示媒体２側の端子５０１は、行電極２０１Ａに接続され、行側コネクタ４Ａ側の端子５０１は、コネクタ４Ａ内部の導電路４０に接続されている。各導電路４０は、ケーブル６Ａを介して電圧印加部７２に接続されている。
【００５０】
端子５０１は、凸部５０１ａと凹部５０１ｂとからなり、表示媒体２側の務歯５０Ａと行側コネクタ４Ａ側の務歯５０Ａが係合すると、図３（ｂ）に示すように、端子５０１の凸部５０１ａが相手の端子５０１の凹部５０１ｂに嵌入し、両者は導通状態となる。
【００５１】
また、端子５０１は、少なくとも表面が導電性および耐磨耗性を有する材料から形成されている。このような端子材料として、例えば、銅、銅合金、アルミニウム、アルミニウム合金等に硬質金メッキを施したものや、リン青銅，ベリリュウム銅等の銅合金、ステンレス鋼、導電性ゴム、導電性プラスチック等を用いることができる。
【００５２】
（表示媒体とコネクタとの接続）
次に、表示媒体２とコネクタ４Ａ，４Ｂとの接続方法について説明する。表示媒体２に設けたスライダ５１を止め具５２まで移動させ、行側コネクタ４Ａの一端の務歯５０Ａを止め具５２に差し込み、スライダ５１を他端側へ移動させると、務歯５０Ａが順次係合し、行側コネクタ４Ａ側の端子５０１と表示媒体２側の端子５０１とが電気的および機械的に接続される。スライダ５１を他端の止め具５３まで移動させると、表示媒体２と行側コネクタ４Ａとの接続が完了する。これと同様に列側コネクタ４Ｂもスライダ５１を移動させて表示媒体２と列側コネクタ４Ｂとを接続させる。
【００５３】
（表示システムの動作）
次に、表示システム１の動作を説明する。制御部７１は、画像記憶部７０から画像データを読み出し、電圧印加部７２を制御する。電圧印加部７２の走査回路は、ケーブル６Ａ、および行側コネクタ４Ａに設けたスライドファスナー５Ａの端子５０１を介して表示媒体２の行電極２０１Ａを順次走査する。この走査のタイミングに同期して電圧印加部７２の駆動回路は、画像データに応じた電圧をケーブル６Ｂ、および列側コネクタ４Ｂに設けたスライドファスナー５Ｂの端子５０１を介して表示媒体２の列電極２０１Ｂに印加する。これにより表示媒体２の表示部２０に画像が書き込まれる。
【００５４】
（表示媒体とコネクタの分離）
画像書込後は、上述した表示媒体２とコネクタ４Ａ，４Ｂの接続操作とは逆の操作を行うことにより、表示媒体２とコネクタ４Ａ，４Ｂを分離することができる。表示媒体２の表示部２０は、メモリー性を有しているので、無電源でも所定の時間継続して画像が表示される。
【００５５】
（第１の実施の形態の効果）
この第１の実施の形態によれば、以下の効果が得られる。
（イ）スライドファスナー５Ａ，５Ｂのスライダ５１を移動して端子５０１を順次係合して接続しているので、小さな操作力で表示媒体２とコネクタ４Ａ，４Ｂを接続することができる。
（ロ）スライドファスナー５Ａ，５Ｂは、コネクタ４Ａ，４Ｂの一端の務歯５０Ａ，５０Ｂを止め具５２に差し込むだけ表示媒体２とコネクタ４Ａ，４Ｂを位置決めできるので、接続時の位置合わせが容易となる。
（ハ）走査回路および駆動回路を書込装置本体７に設けているので、表示媒体２およびコネクタ４Ａ，４Ｂの構成を簡素化でき、これによりコスト低減が図れ、可撓性が向上する。
（ニ）スライドファスナー５Ａ，５Ｂにより表示媒体２とコネクタ４Ａ，４Ｂとの分離が可能となり、１つの書込装置本体７で複数の表示媒体２に画像を書き込むことができる。
【００５６】
［第２の実施の形態］
図４は、本発明の第２の実施の形態に係る表示システムを示す。本実施の形態は、第１の実施の形態に対し、コネクタを１つにしたものであり、他は第１の実施の形態と同様に構成されている。
【００５７】
本実施の形態のコネクタ４Ｃと表示媒体２とを接続するスライドファスナー５Ｃは、第１の実施の形態のスライドファスナー５Ａと同様に、務歯５０Ｃ，５０Ｄ、スライダ５１および止め具５２，５３を備える。
【００５８】
図５は、表示媒体２とコネクタ４Ｃとの接続関係を示す。スライドファスナー５Ｃの務歯は、行電極２０１Ａ用と列電極２０１Ｂ用の２つの群に分けられ、一方の群の務歯５０Ｃは、行電極用配線２０３を介して行電極２０１Ａに接続され、他方の群の務歯５０Ｄは、列電極用配線２０４を介して列電極２０１Ｂに接続されている。
【００５９】
本実施の形態の表示媒体２は、多層基板を用いて構成されており、列電極用配線２０４は、中間層の基板に形成されている。
【００６０】
この第２の実施の形態によれば、１つのコネクタ４Ｃを表示媒体２に装着するだけで画像を表示媒体２に書き込めるので、接続作業が容易となる。他は第１の実施の形態と同様の効果を奏する。
【００６１】
［第３の実施の形態］
図６は、本発明の第３の実施の形態に係る表示システムを示す。図７は、第３の実施の形態の端子接続構造の詳細を示し、（ａ）は図６のＡ−Ａ線断面図、（ｂ）は図６のＢ−Ｂ線断面図、（ｃ）は（ａ）のＣ矢視図である。
【００６２】
本実施の形態は、第２の実施の形態に対し、他の端子接続構造として線状ファスナーを採用したものであり、他は第１の実施の形態と同様に構成されている。
【００６３】
線状ファスナー１５は、図６に示すように、表示媒体２とコネクタ４Ｄとを位置決めする一対の位置決め部１５０を備える。位置決め部１５０は、図７（ａ）に示すように、表示媒体２に設けられた位置決め凹部１５１と、コネクタ４Ｄに設けられて位置決め凸部１５２とからなる。なお、位置決め部１５０は、１つでもよい。
【００６４】
また、線状ファスナー１５は、図７（ｂ），（ｃ）に示すように、表示媒体２に形成された線状のファスナー凹部１５３と、コネクタ４Ｄに形成され、ファスナー凹部１５３に嵌合する線状のファスナー凸部１５４とを備える。ファスナー凹部１５３は、長手方向に沿って交互に形成された端子凹部１５３ａおよび絶縁凹部１５３ｂを備える。ファスナー凸部１５４は、長手方向に沿って交互に形成された端子凸部１５４ａおよび絶縁凸部１５４ｂを備える。絶縁凹部１５３ｂおよび絶縁凸部１５４ｂは、絶縁材料からなる。
【００６５】
端子凹部１５３ａおよび端子凸部１５４ａは、少なくとも表面が導電性および耐磨耗性を有する材料から形成されている。このような端子材料として、例えば、銅、銅合金、アルミニウム、アルミニウム合金等に硬質金メッキを施したものや、リン青銅，ベリリュウム銅等の銅合金、ステンレス鋼、導電性ゴム、導電性プラスチック等を用いることができる。
【００６６】
コネクタ４Ｄは、図７（ａ），（ｂ）に示すように、基材４１を有し、基材４１の下面の一方の端部に、図７（ａ）に示すように、位置決め凸部１５２を突設し、基材４１の下面にファスナー凸部１５４が線状に形成されている。また、コネクタ４Ｄは、表示媒体２との接続性および取扱性の点で可撓性を有するものが好ましく、例えば、可撓性を有するプラスチックフィルムを主体に構成されている。なお、コネクタ４Ｄは、接続性の点で表示媒体２が可撓性を有するものなら、剛性を有するものでもよい。
【００６７】
（表示媒体とコネクタとの接続）
次に、表示媒体２とコネクタ４Ｄとの接続方法について説明する。コネクタ４Ｄの位置決め凸部１５２を表示媒体２の位置決め凹部１５１に嵌入してコネクタ４Ｄと表示媒体２を位置決めした後、指等による押圧操作によりファスナー凸部１５４およびファスナー凹部１５３の各部を順次係合すると、端子凹部１５３ａと端子凸部１５４ａとが接続される。
【００６８】
この第３の実施の形態によれば、線状ファスナー１５の端子凹部１５３ａと端子凸部１５４ａを順次係合して接続しているので、小さな操作力で表示媒体２とコネクタ４Ｄを接続することができる。また、位置決め凸部１５２を位置決め凹部１５１に嵌入するだけで表示媒体２とコネクタ４Ｄを位置決めできるので、接続時の位置合わせが容易となる。その他の効果は、第１の実施の形態と同様である。
【００６９】
（ファスナー凸部の変形例）
図８は、ファスナー凸部１５４の変形例を示す。このファスナー凸部１５４は、端子凸部１５４ａに加圧により針状導電部材１５５が突出する異方性導電ゴムを用いたものである。この変形例の場合、端子凸部１５４ａの径をファスナー凹部１５３の径よりも僅かに大きくしている。
【００７０】
この変形例によれば、ファスナー凸部１５４をファスナー凹部１５３に嵌合すると、そのときの圧縮応力によって針状導電部材１５５が突出してファスナー凹部１５３の端子凹部１５３ａに当接するので、接続の信頼性を高くすることができる。
【００７１】
［第４の実施の形態］
図９は、本発明の第４の実施の形態に係る表示システムを示す。本実施の形態は、複数の表示媒体を接続できるようにしたものであり、他は第１の実施の形態と同様に構成されている。同図は、表示媒体２の短辺に沿う方向に３つの表示媒体２を接続した例を示す。
【００７２】
本実施の形態の表示媒体２は、第１の実施の形態と同様に、スライドファスナー５Ａ，５Ｂによって行側コネクタ４Ａおよび列側コネクタ４Ｂを接続できるように構成されているとともに、左側の長辺近傍に他の表示媒体２が接続できるようにスライドファスナー５Ａの一方の列の務歯５０Ａ、および止め具５２，５２が設けられている。
【００７３】
この第４の実施の形態によれば、スライドファスナー５Ａ，５Ｂによって複数の表示媒体２を接続できるので、表示面積を大きくすることができる。また、スライドファスナー５Ａ，５Ｂによって複数の表示媒体２を容易に分離できるので、携帯性に優れる。
【００７４】
なお、第４の実施の形態において、第２の実施の形態のように１つのコネクタを介して複数の表示媒体２に画像を書き込むことも可能である。
【００７５】
また、表示媒体２の長辺に沿う方向に複数の表示媒体２を接続してもよく、表示媒体２の短辺および長辺に沿う２次元方向に複数の表示媒体２を接続してもよい。また、接続する表示媒体２の数は、３つに限定されず、２つでも４つ以上でもよい。さらに、接続方法は、上記スライドファスナーの他に、第３の実施の形態の線状ファスナーや、順次係合させる他の締結手段を用いることができる。
【００７６】
[他の実施の形態]
なお、本発明は、上記各実施の形態に限定されず、その発明の趣旨を逸脱しない範囲で種々と変形実施が可能である。
【００７７】
例えば、上記各実施の形態では、表示媒体と書込装置との間の接続について説明したが、本発明は、通信線路や装置間においてコネクタ同士を接続する場合や、他の電気・電子機器同士、他の電気・電子機器とコネクタとを接続する場合にも適用することができる。
【００７８】
また、上記各実施の形態では、ファスナーとしてスライドファスナーと線状ファスナーについて説明したが、本発明は、これらに限定されず、係合操作により順次係合するものなら他の締結手段を用いてもよい。
【００７９】
また、上記各実施の形態の構成要素を発明の趣旨を逸脱しない範囲で任意に組み合わせることができる。
【００８０】
例えば、第１および第４の実施の形態のスライドファスナーの代わりに、第３の実施の形態の線状ファスナーを用いてもよい。
【図面の簡単な説明】
【００８１】
【図１】本発明の第１の実施の形態に係る表示システムの構成図である。
【図２】本発明の第１の実施の形態に係る表示媒体の表示部の断面図である。
【図３】本発明の第１の実施の形態に係るスライドファスナーの要部拡大図である。
【図４】本発明の第２の実施の形態に係る表示システムの構成図である。
【図５】本発明の第２の実施の形態に係る表示媒体のオネクタとの接続関係を説明するための図である。
【図６】本発明の第３の実施の形態に係る表示システムの構成図である。
【図７】本発明の第３の実施の形態の端子接続構造の詳細を示し、（ａ）は図６のＡ−Ａ線断面図、（ｂ）は図６のＢ−Ｂ線断面図、（ｃ）は（ａ）のＣ矢視図である。
【図８】本発明の第３の実施の形態に係る線状ファスナーのファスナー凸部の変形例を示し、（ａ）は接続前、（ｂ）は接続後の要部断面図である。
【図９】本発明の第４の実施の形態に係る表示システムの構成図である。
【符号の説明】
【００８２】
１  表示システム
２  表示媒体
３  書込装置
４Ａ，４Ｂ，４Ｃ  コネクタ
５Ａ，５Ｂ，５Ｃ  スライドファスナー
６，６Ａ，６Ｂ  ケーブル
７  書込装置本体
１５  線状ファスナー
２０  表示部
２１  枠部
４０  導電路
４１  基材
５０Ａ，５０Ｂ，５０Ｃ，５０Ｄ  務歯
５１  スライダ
５２，５３  止め具
７０  画像記憶部
７１  制御部
７２  電圧印加部
１５０  位置決め部
１５１  位置決め凹部
１５２  位置決め凸部
１５３  ファスナー凹部
１５３ａ  端子凹部
１５３ｂ  絶縁凹部
１５４  ファスナー凸部
１５４ａ  端子凸部
１５４ｂ  絶縁凸部
１５５  針状導電部材
２００  表示層
２０１Ａ  行電極
２０１Ｂ  列電極
２０２Ａ  表面基板
２０２Ｂ  裏面基板
２０３  行電極用配線
２０４  列電極用配線
５００  絶縁部材
５０１  端子
５０１ａ  凸部
５０１ｂ  凹部
【図１】
2007115640.tif 000003
【図２】
2007115640.tif 000004
【図３】
2007115640.tif 000005
【図４】
2007115640.tif 000006
【図５】
2007115640.tif 000007
【図６】
2007115640.tif 000008
【図７】
2007115640.tif 000009
【図８】
2007115640.tif 000010
【図９】
2007115640.tif 000011